(57)【要約】      （修正有）【課題】少なくともの２種の異なるカードを挿入することができ、かつカードの誤挿着が防止できるカード用コネクタ装置を提供する。【解決手段】第１絶縁本体１のガイド部材が第１階段部と第２階段部を有することで、ＰＣカードを第１挿着空間５０１に挿入することが阻止され、ＰＣカードの誤挿着が防止できる。エクスプレスカード８の厚さはＰＣカードの厚さと同じであり、且つエクスプレスカード８の先端に階段部が配置せず、その先端の厚さが延伸片５３１から下フレーム５２までの距離より大きく、これによりエクスプレスカードを第２挿着空間５０２に挿入することが延伸片５３１に阻止され、エクスプレスカードの誤挿着が防止できる。【選択図】図４
0003122673.tif 000002
【実用新案登録請求の範囲】
【請求項１】
一対の延出アームと、該一対の延出アームを連接し、かつガイド部材及び複数の端子溝が設けられる基部と、を含む絶縁本体と、
前記絶縁本体の端子溝に対応し装着され、異なるカードに電気的に接続するためのコンタクト部を有する複数の導電端子と、
前記絶縁本体に取り付けられるフレームと、
を含み、異なるカードを収容するためのカード用コネクタ装置において、
前記絶縁本体とフレームは、異なるカードをそれぞれ収容するための第１挿着空間及び第２挿着空間を形成し、前記ガイド部材が第１挿着空間に収容され、
前記フレームには第２挿着空間の向きに延在するように延伸片が形成され、該延伸片の第２挿着空間へ延在する長さは前記第２挿着空間に挿入されたカードの構造と対応し、
前記第１挿着空間に挿入すべきカードが前記第２挿着空間に誤挿着された際に、前記延伸片により前記第１挿着空間に挿入すべきカードが導電端子に接続することは阻止されることを特徴とする、カード用コネクタ装置。
【請求項２】
前記フレームは、前記絶縁本体の上方に取り付けられる上フレームと、前記絶縁本体の下方に取り付けられる下フレームと、前記第１挿着空間と第２挿着空間との間に取り付けられる中間フレームと、を含むことを特徴とする、請求項１に記載のカード用コネクタ装置。
【請求項３】
前記延伸片は、前記第２挿着空間を形成する下フレームと中間フレームとのいずれかのフレームに形成されることを特徴とする、請求項２に記載のカード用コネクタ装置。
【請求項４】
前記延伸片は、前記中間フレームに形成されることを特徴とする請求項３に記載のカード用コネクタ装置。
【請求項５】
前記延伸片は、前記中間フレームから前記第２挿着空間の向きに延在するように間隔を有して形成されることを特徴とする、請求項４に記載のカード用コネクタ装置。
【請求項６】
前記第２挿着空間に挿入したカードの先端に階段部が形成され、前記階段部の高さは前記延伸片の第２挿着空間へ延在する長さより大きく、且つ前記延伸片から前記下フレームまでの距離は前記第１挿着空間に挿入すべきカードの先端の厚さより小さいことを特徴とする、請求項５に記載のカード用コネクタ装置。
【請求項７】
前記第２挿着空間に挿入したカードの階段部から前記導電端子のコンタクト部までの距離は、前記延伸片から前記導電端子のコンタクト部までの距離より大きいことを特徴とする、請求項６に記載のカード用コネクタ装置。
【請求項８】
前記第２挿着空間は、前記絶縁本体と、前記中間フレームと、前記下フレームと、からなり、前記延伸片は前記下フレームに形成されることを特徴とする、請求項３に記載のカード用コネクタ装置。
【請求項９】
前記第２挿着空間に挿入したカードの先端に階段部が形成され、前記階段部の高さは前記延伸片の第２挿着空間へ延在する長さより大きく、且つ前記延伸片から前記中間フレームまでの距離は前記第１挿着空間に挿入すべきカードの先端の厚さより小さいことを特徴とする、請求項８に記載のカード用コネクタ装置。
【請求項１０】
前記第２挿着空間に挿入したカードの階段部から前記導電端子のコンタクト部までの距離は、前記延伸片から前記導電端子のコンタクト部までの距離より大きいことを特徴とする、請求項９に記載のカード用コネクタ装置。
【考案の詳細な説明】
【技術分野】
【０００１】
本考案はカード用コネクタ装置に関し、特に異なるカードが挿入できるカード用コネクタ装置に関するものである。
【背景技術】
【０００２】
ノートブック型パソコン等の電子機器の増設記録装置としてカード用コネクタ装置が一般的に使用されている。このカード用コネクタ装置の記憶媒体としてはＰＣカードやメモリーカードが広く使用されるようになってきている。
【０００３】
従来のカード用コネクタ装置においては、一枚のカードしか挿着することができず、そのため、例えば二枚或いは二枚以上のカードの両方を挿着したい場合に、電子機器の回路基板に対応するカード用コネクタをそれぞれ実装しなければならないため面倒であり、かつ実装面積を確保しなければならないという問題があった。同時に２つのコネクタを配置する場合は２つ並べて実装するしかなく、そのため実装面積が大きくなり、かつ部品点数が多くなっていた。
【０００４】
その後、上下に重ねて実装するカード用コネクタ装置が考案され、これは、例えば、特許文献１に開示されたようなカード用コネクタ装置であり、第１カードを収容するための第１挿着空間を有する第１カード用コネクタと、第２カードを収容するための第２挿着空間を有する第２カード用コネクタと、を含む。ここで、第１カード用コネクタは、ＰＣカードを収容するためのカード用コネクタであり、第２カード用コネクタは、エクスプレスカードを収容するためのカード用コネクタである（例えば、特許文献１参照）。
【特許文献１】中国実用新型公告ＣＮ２６６２４７０Ｙ号明細書
【考案の開示】
【考案が解決しようとする課題】
【０００５】
前記特許文献１に開示されたカード用コネクタ装置は、第１カード用コネクタと第２カード用コネクタとが上下に重ねて実装され、前記ＰＣカードを挿入する第１挿着空間とエクスプレスカードを挿入する第２挿着空間とが上下方向にそれぞれ配置される。これにより、ＰＣカードとエクスプレスカードを挿入する際に、それぞれ対応した挿着空間が識別し難いので、誤挿着の恐れがあった。ここで、エクスプレスカードの構造が業界の標準構造なので、エクスプレスカードに対応する第２挿着空間には階段部が配置され、これにより、ＰＣカードが第２挿着空間に挿着することが阻止される。しかしながら、ＰＣカードを収容する第１挿着空間には、エクスプレスカードの挿入を阻止する構造が設けられていないと共に、第１挿着空間の高さがエクスプレスカードの厚さより大きいことで、エクスプレスカードがＰＣカードの第１挿着空間に誤挿着する恐れがあった。こうして、カード用コネクタの導電端子が損傷され易くなり、更に該カード用コネクタの寿命が短縮される。そこで、従来の技術の欠点を改善したカード用コネクタ装置を開発する必要がある。
【０００６】
本考案は、少なくともの２種の異なるカードを挿入することができ、かつカードの誤挿着が防止できるカード用コネクタ装置を提供することを目的とする。
【課題を解決するための手段】
【０００７】
本考案のカード用コネクタ装置は、異なるカードを収容するのに用いられ、一対の延出アームと、該一対の延出アームを連接し、かつガイド部材及び複数の端子溝が設けられる基部と、を含む絶縁本体と、前記絶縁本体の端子溝に対応し装着され、異なるカードに電気的に接続するためのコンタクト部を有する複数の導電端子と、前記絶縁本体に取り付けられるフレームとを含む。前記絶縁本体とフレームは、異なるカードをそれぞれ収容するための第１挿着空間及び第２挿着空間を形成し、前記ガイド部材が第１挿着空間に収容される。前記フレームには第２挿着空間の向きに延在するように延伸片が形成され、該延伸片の第２挿着空間へ延在する長さは前記第２挿着空間に挿入されたカードの構造と対応する。前記第１挿着空間に挿入すべきカードが前記第２挿着空間に誤挿着された際に、前記延伸片により前記第１挿着空間に挿入すべきカードが導電端子に接続することは阻止される。
【考案の効果】
【０００８】
従来技術に比べ、本考案は以下の利点を有する。カード用コネクタ装置のフレームに第２挿着空間の向きに延在する延伸片が配置され、これによりカードの誤挿着が阻止され、カード用コネクタと導電端子が損傷される恐れを防止でき、製造コストが減少される。
【考案を実施するための最良の形態】
【０００９】
以下、図１〜図９を参照して、本考案のカード用コネクタ装置の好ましい実施形態について説明する。該カード用コネクタ装置は、複数の第１端子溝１４１が形成される第１絶縁本体１と、第１端子溝１４１に対応し装着される複数の第１導電端子２と、複数の第２端子溝４２１が形成され、前記第１絶縁本体１の下方に位置する第２絶縁本体４と、第２端子４２１に対応し装着される複数の第２導電端子３と、フレーム５と、前記第１絶縁本体１とフレーム５に取り付けられる第１排出機構６と、前記第２絶縁本体４とフレーム５に取り付けられる第２排出機構７と、を含む。ここで、フレーム５と第１絶縁本体１は第１カードを収容するための第１挿着空間５０１を形成し、フレーム５と第２絶縁本体４は第２カードを収容するための第２挿着空間を形成する。本実施の形態において、第１カードはエクスプレスカード８であり、第２カードはＰＣカード９である。
【００１０】
図２と図３を参照すると、前記絶縁本体１は、基部１２と、該基部１２の長手方向の両端部からそれぞれ直角に延在するように形成される一対の延出アーム１１と、前記一対の延出アーム１１の間にそれぞれ位置し、前記基部１２から後向きに延在するように形成されるガイド部材１３及び対応接触部１４と、を含む。前記ガイド部材１３と一方の延出アーム１１との内側には、ガイド溝１１１がそれぞれ形成され、且つ一対の延出アーム１１の外側には前記フレーム５に係合するための取付凸部１１２がそれぞれ形成される。前記ガイド部材１３は梯形を呈する第１階段部１３１と、該第１階段部１３１から後向きに延在するように形成される三角形を呈する第２階段部１３２とを有し、前記対応接触部１４に第１導電端子２を収容するための複数の第１端子溝１４１が貫通するように形成される。
【００１１】
前記第１導電端子２が第１絶縁本体１の第１端子溝１４１に対応し装着され、コンタクト部２１と、テール部２２と、該コンタクト部２１とテール部２２とを連接するための連接部２３とを含み、前記第１端子溝１４１に収容されるコンタクト部２１は、第１カード即ちエクスプレスカード８に電気的に接続するのに用いられ、第１絶縁本体１から突出するテール部２２は回路基板（図示せず）に接続するのに用いられる。
【００１２】
前記第２絶縁本体４は、ネジ（図示せず）により第１絶縁本体１の下方に固持され、基部４２と、該基部４２の長手方向の両端部からそれぞれ直角に延在するように形成される一対の延出アーム４１とを含む。該一対の延出アーム４１は、内側にガイド溝４１１がそれぞれ形成され、外側に前記フレーム５に係合するための取付凸部４１２が形成される。該基部４２には、前記第２導電端子を収容するための複数の第２端子溝４２１が貫通するように形成される。
【００１３】
前記第２導電端子３は、第２絶縁本体４の第２端子溝４２１に対応し装着され、コンタクト部３１と、テール部３２と、該コンタクト部３１とテール部３２とを連接するための連接部３３とを含み、前記第２端子溝４２１に収容されるコンタクト部３１は、第２カード即ちＰＣカード９に電気的に接続するのに用いられ、第２絶縁本体４から突出するテール部３２は回路基板（図示せず）に接続するのに用いられる。前記第１導電端子２のテール部２２と第２導電端子３のテール部３２は、位置決め部材１０により位置決めされる。
【００１４】
図４を参照すると、フレーム５は、第１絶縁本体１に取り付けられる上フレーム５１と、第２絶縁本体４に取り付けられる下フレーム５２と、第１絶縁本体１と第２絶縁本体４との間に取り付けられる中間フレーム５３とを含む。ここで、第１絶縁本体１と上フレーム５１と中間フレーム５３は、前記第１導電端子２に接続する第１カード即ちエクスプレスカード８を収容するための第１挿着空間５０１を形成する。第２絶縁本体４と下フレーム５２と中間フレーム５３は、前記第２導電端子３に接続する第２カード即ちＰＣカード９を収容するための第２挿着空間５０２を形成する。
【００１５】
前記中間フレーム５３の第２導電端子３のコンタクト部３１に近接する箇所には、第２挿着空間５０２の向きに複数の延伸片５３１が折り曲がって延出するように間隔を有して形成され、該複数の延伸片５３１により第１カード即ちエクスプレスカード８が第２挿着空間５０２に挿入されることが防止できる。前記上フレーム５１の両側から下向きに折り曲がって延在するように側壁５１１が形成され、該側壁５１１には第１絶縁本体１の取付凸部１１２に収容し係合するための取付開口５１１１が形成される。前記下フレーム５２の両側から上向きに折り曲がって延在するように側壁５２１が形成され、該側壁５２１には第２絶縁本体４の取付凸部４１２に収容し係合するための取付開口５２１１が形成される。
【００１６】
第１排出機構６は、第１カード即ちエクスプレスカード８を排出するために、第１絶縁本体１とフレーム５との側面に配置され、第２排出機構７は、第２カード即ちＰＣカード９を排出するために、第２絶縁本体４とフレーム５との側面に配置される。該第１排出機構６と第２排出機構７は、その構造と排出原理が業界の従来技術と同様であるので、ここでは詳細説明しない。
【００１７】
図５と図６を参照すると、ＰＣカード９の前記第２導電端子３に接続する先端に階段部９１が形成され、該階段部９０の高さは中間フレーム５３から第２挿着空間５０２へ折り曲がって延在するように形成される延伸片５３１の延在する長さより大きく、かつＰＣカード９が第２挿着空間５０２に完全に挿入された際に、該階段部９１から第２導電端子３のコンタクト部３２までの距離は、延伸片５３１から第２導電端子３のコンタクト部３２までの距離より大きい。これによりＰＣカード９が第２挿着空間５０２に挿入する際に、前記延伸片５３１に阻止されることが発生せず、第２挿着空間５０２に順調に挿入されて、第２導電端子３のコンタクト部３２に電気的に接続している。また、第１絶縁本体１のガイド部材１３が第１階段部１３１と第２階段部１３２を有することで、ＰＣカード９を第１挿着空間５０１に挿入することが阻止され、ＰＣカード９の誤挿着が防止できる。
【００１８】
図９を参照すると、エクスプレスカード８がＬ字形状を呈し、該エクスプレスカード８が第１挿着空間５０１に挿入された際に、第１絶縁本体１のガイド部材１３の第１階段部１３１がエクスプレスカード８のＬ字形を呈する切り欠きに収容され、その第２階段部１３２がエクスプレスカード８の底面に支持し、この際に、該エクスプレスカード８が第１導電端子２のコンタクト部２１に電気的に接続している。
【００１９】
図７と図８を参照すると、エクスプレスカード８の厚さはＰＣカードの厚さと同じであり、且つ該エクスプレスカード８の先端に階段部が配置せず、その先端の厚さが前記延伸片５３１から下フレーム５２までの距離より大きく、これによりエクスプレスカード８を第２挿着空間５０２に挿入することが延伸片５３１に阻止され、エクスプレスカード８の誤挿着が防止できる。また、エクスプレスカード８が延伸片５３１により阻止されることで、エクスプレスカード８が第２導電端子３のコンタクト部３２に接続せず、第２導電端子３が損傷する恐れが防止できる。
【００２０】
本考案のカード用コネクタ装置は、中間フレーム５３に第２挿着空間５０２の向きに延在する５３１が配置され、これによりカードの誤挿着が防止でき、カード用コネクタと導電端子が損傷される恐れが防止でき、製造コストが減少される。
【００２１】
勿論、他の実施状態において、ＰＣカード９の先端の上下表面に階段部９１がそれぞれ形成され、かつエクスプレスカード８の上下表面に階段部が形成されず、これにより前記延伸片５３１が下フレーム５２に配置されても、エクスプレスカード８の誤挿着防止の目的が実現される。
【００２２】
以上、本考案について好ましい実施の形態を参照して詳細に説明したが、実施形態はあくまでも例示的なものであり、これらに限定されるものではない。また、本考案に基づきなし得る細部の修正或は変更など、いずれも本考案の請求範囲に属するものである。
【図面の簡単な説明】
【００２３】
【図１】本考案に係るカード用コネクタ装置の組立斜視図である。
【図２】本考案に係るカード用コネクタ装置の絶縁本体と導電端子との組立斜視図である。
【図３】図２に示すカード用コネクタ装置のほかの角度から見た組立斜視図である。
【図４】図１に示すカード用コネクタ装置のほかの角度から見た組立斜視図である。
【図５】本考案に係るカード用コネクタ装置のＰＣカードを第２挿着空間に挿入した組立斜視図である。
【図６】図５に示すカード用コネクタ装置のＶＩ−ＶＩ線で切断した断面図である。
【図７】本考案に係るカード用コネクタ装置のエクスプレスカードを第２挿着空間に挿入した組立斜視図である。
【図８】図７に示すカード用コネクタ装置のＶＩＩＩ−ＶＩＩＩ線で切断した断面図である。
【図９】本考案に係るカード用コネクタ装置のエクスプレスカードを第１挿着空間に挿入した組立斜視図である。
【符号の説明】
【００２４】
１  第１絶縁本体
２  第１導電端子
３  第２導電端子
４  第２絶縁本体
５  フレーム
６  第１排出機構
７  第２排出機構
８  エクスプレスカード
９  ＰＣカード
１１、４１  延出アーム
１２、４２  基部
１３  ガイド部材
１４  対応接触部
２１、３１  コンタクト部
２２、３２  テール部
２３、３３  連接部
５１  上フレーム
５２  下フレーム
５３  中間フレーム
１１１、４１１  ガイド溝
１１２、４１２  取付凸部
１３１  第１階段部
１３２  第２階段部
１４１  第１端子溝
５０１  第１挿着空間
５０２  第２挿着空間
５１１、５２１  側壁
５３１  延伸片
５１１１、５２１１  取付開口
【図１】
0003122673.tif 000003
【図２】
0003122673.tif 000004
【図３】
0003122673.tif 000005
【図４】
0003122673.tif 000006
【図５】
0003122673.tif 000007
【図６】
0003122673.tif 000008
【図７】
0003122673.tif 000009
【図８】
0003122673.tif 000010
【図９】
0003122673.tif 000011